(57)【要約】多重入出力無線通信システムにおいてダウンリンク信号伝送方法及び装置が開示される。第１及び第２アンテナポートを用いる二重レイヤー伝送を支援する多重入出力（ＭＩＭＯ）システムにおいて端末が基地局からダウンリンク信号を受信する方法は、ダウンリンク制御チャネルを通じてダウンリンク制御情報（ＤＣＩ）を受信し、ダウンリンクデータチャネルを通じて第１及び第２伝送ブロックの一つ以上を含むダウンリンクデータを受信すること、を含み、前記ダウンリンク制御情報は、前記第１及び第２伝送ブロックのそれぞれに対する新規データ指示子（ＮＤＩ）を含み、前記ダウンリンク制御情報において、前記第１伝送ブロックが非活性化され、前記第２伝送ブロックが活性化されることを表す場合に、前記第１伝送ブロックに対する新規データ指示子は、前記第２伝送ブロックが受信されるアンテナポートを指示できる。【選択図】図８
2013504921.tif 000002
【特許請求の範囲】
【請求項１】
第１及び第２アンテナポートを用いる二重レイヤー（ｄｕａｌ  ｌａｙｅｒ）伝送を支援する多重入出力（ＭＩＭＯ）システムにおいて、端末が基地局からダウンリンク信号を受信する方法であって、
ダウンリンク制御チャネルを通じてダウンリンク制御情報（ＤＣＩ）を受信し、
ダウンリンクデータチャネルを通じて、第１及び第２伝送ブロックの一つ以上を含むダウンリンクデータを受信すること、を含み、
前記ダウンリンク制御情報は、前記第１及び第２伝送ブロックのそれぞれに対する新規データ指示子（ＮＤＩ）を含み、
前記ダウンリンク制御情報において前記第１伝送ブロックが非活性化され、前記第２伝送ブロックが活性化されることを表す場合に、前記第１伝送ブロックに対する新規データ指示子は、前記第２伝送ブロックが受信されるアンテナポートを指示する、ダウンリンク信号受信方法。
【請求項２】
前記新規データ指示子は１ビットで与えられ、
前記第１伝送ブロックに対する新規データ指示子が第１値であると、前記第１アンテナポートが指示され、
前記第１伝送ブロックに対する新規データ指示子が第２値であると、前記第２アンテナポートが指示される、請求項１に記載のダウンリンク信号受信方法。
【請求項３】
前記第２伝送ブロックは、第１及び第２コードワード（Ｃｏｄｅｗｏｒｄ）のうちの一つにマッピングされ、
前記第２伝送ブロックのマッピングされた一つのコードワードは、第１及び第２レイヤーのうちの一つにマッピングされ、
前記第２伝送ブロックのマッピングされた一つのコードワードがマッピングされた一つのレイヤーは、前記第１及び第２アンテナポートのうちの一つに対応する、請求項１に記載のダウンリンク信号受信方法。
【請求項４】
前記ダウンリンク制御情報は、前記第１及び第２伝送ブロックのそれぞれに対する変調及びコーディング方式（ＭＣＳ）及びリダンダンシバージョン（ＲＶ）をさらに含み、
前記変調及びコーディング方式（ＭＣＳ）及び前記リダンダンシバージョン（ＲＶ）の一つ以上により、該当の伝送ブロックが非活性化されるか否かが指示される、請求項１に記載のダウンリンク信号受信方法。
【請求項５】
前記第１及び第２アンテナポートの一つ以上に対して前記ダウンリンクデータを復調するための端末−特定参照信号（ＵＥ−ｓｐｅｃｉｆｉｃ  Ｒｅｆｅｒｅｎｃｅ  Ｓｉｇｎａｌ）を受信することをさらに含む、請求項１に記載のダウンリンク信号受信方法。
【請求項６】
前記ダウンリンクデータチャネルは、物理ダウンリンク共用チャネル（ＰＤＳＣＨ）であり、前記ダウンリンク制御チャネルは、物理ダウンリンク制御チャネル（ＰＤＣＣＨ）である、請求項１に記載のダウンリンク信号受信方法。
【請求項７】
第１及び第２アンテナポートを用いる二重レイヤー伝送を支援する多重入出力（ＭＩＭＯ）システムにおいて、基地局が端末にダウンリンク信号を伝送する方法であって、
ダウンリンク制御チャネルを通じてダウンリンク制御情報（ＤＣＩ）を伝送し、
ダウンリンクデータチャネルを通じて、第１及び第２伝送ブロックの一つ以上を含むダウンリンクデータを伝送すること、を含み、
前記ダウンリンク制御情報は、前記第１及び第２伝送ブロックのそれぞれに対する新規データ指示子（ＮＤＩ）を含み、
前記ダウンリンク制御情報において、前記第１伝送ブロックが非活性化され、前記第２伝送ブロックが活性化されることを表す場合に、前記第１伝送ブロックに対する新規データ指示子は、前記第２伝送ブロックが伝送されるアンテナポートを指示する、ダウンリンク信号伝送方法。
【請求項８】
前記新規データ指示子は１ビットで与えられ、
前記第１伝送ブロックに対する新規データ指示子が第１値であると、前記第１アンテナポートが指示され、
前記第１伝送ブロックに対する新規データ指示子が第２値であると、前記第２アンテナポートが指示される、請求項７に記載のダウンリンク信号伝送方法。
【請求項９】
前記第２伝送ブロックは、第１及び第２コードワード（Ｃｏｄｅｗｏｒｄ）のうちの一つにマッピングされ、
前記第２伝送ブロックのマッピングされた一つのコードワードは、第１及び第２レイヤーのうちの一つにマッピングされ、
前記第２伝送ブロックのマッピングされた一つのコードワードがマッピングされた一つのレイヤーは、前記第１及び第２アンテナポートのうちの一つに対応する、請求項７に記載のダウンリンク信号伝送方法。
【請求項１０】
前記ダウンリンク制御情報は、前記第１及び第２伝送ブロックのそれぞれに対する変調及びコーディング方式（ＭＣＳ）及びリダンダンシバージョン（ＲＶ）をさらに含み、
前記変調及びコーディング方式（ＭＣＳ）及び前記リダンダンシバージョン（ＲＶ）の一つ以上により、該当の伝送ブロックが非活性化されるか否かが指示される、請求項７に記載のダウンリンク信号伝送方法。
【請求項１１】
前記第１及び第２アンテナポートの一つ以上に対して前記ダウンリンクデータを復調するための端末−特定参照信号（ＵＥ−ｓｐｅｃｉｆｉｃ  Ｒｅｆｅｒｅｎｃｅ  Ｓｉｇｎａｌ）を伝送することをさらに含む、請求項７に記載のダウンリンク信号伝送方法。
【請求項１２】
前記ダウンリンクデータチャネルは、物理ダウンリンク共用チャネル（ＰＤＳＣＨ）であり、前記ダウンリンク制御チャネルは、物理ダウンリンク制御チャネル（ＰＤＣＣＨ）である、請求項７に記載のダウンリンク信号伝送方法。
【請求項１３】
第１及び第２アンテナポートを用いる二重レイヤー伝送を支援する多重入出力（ＭＩＭＯ）システムにおいて基地局からダウンリンク信号を受信する端末であって、
前記基地局から制御情報及びデータを受信する受信モジュールと、
前記基地局に制御情報及びデータを伝送する伝送モジュールと、
前記受信モジュール及び前記伝送モジュールに接続し、前記受信モジュール及び前記伝送モジュールを含む前記端末を制御するプロセッサと、
を含み、
前記プロセッサは、
ダウンリンク制御チャネルを通じてダウンリンク制御情報（ＤＣＩ）を受信するように前記受信モジュールを制御し、
ダウンリンクデータチャネルを通じて第１及び第２伝送ブロックの一つ以上を含むダウンリンクデータを受信するように前記受信モジュールを制御するように構成され、
前記ダウンリンク制御情報は、前記第１及び第２伝送ブロックのそれぞれに対する新規データ指示子（ＮＤＩ）を含み、
前記ダウンリンク制御情報において、前記第１伝送ブロックが非活性化され、前記第２伝送ブロックが活性化されることを表す場合に、前記第１伝送ブロックに対する新規データ指示子は、前記第２伝送ブロックが受信されるアンテナポートを指示する、ダウンリンク信号受信端末。
【請求項１４】
第１及び第２アンテナポートを用いる二重レイヤー伝送を支援する多重入出力（ＭＩＭＯ）システムにおいて端末にダウンリンク信号を伝送する基地局であって、
前記端末から制御情報及びデータを受信する受信モジュールと、
前記端末に制御情報及びデータを伝送する伝送モジュールと、
前記受信モジュール及び前記伝送モジュールに接続し、前記受信モジュール及び前記伝送モジュールを含む前記基地局を制御するプロセッサと、
を含み、
前記プロセッサは、
ダウンリンク制御チャネルを通じてダウンリンク制御情報（ＤＣＩ）を伝送するように前記伝送モジュールを制御し、
ダウンリンクデータチャネルを通じて第１及び第２伝送ブロックの一つ以上を含むダウンリンクデータを伝送するように前記伝送モジュールを制御するように構成され、
前記ダウンリンク制御情報は、前記第１及び第２伝送ブロックのそれぞれに対する新規データ指示子（ＮＤＩ）を含み、
前記ダウンリンク制御情報において、前記第１伝送ブロックが非活性化され、前記第２伝送ブロックが活性化されることを表す場合に、前記第１伝送ブロックに対する新規データ指示子は、前記第２伝送ブロックが伝送されるアンテナポートを指示する、ダウンリンク信号伝送基地局。
【発明の詳細な説明】
【技術分野】
【０００１】
以下の説明は、無線通信システムに係り、特に、多重入出力無線通信システムにおいてダウンリンク信号を伝送する方法及び装置に関するものである。
【背景技術】
【０００２】
移動通信システムにおいて、端末は、基地局からダウンリンク（Ｄｏｗｎｌｉｎｋ）を通じて情報を受信することができ、かつ、アップリンク（Ｕｐｌｉｎｋ）を通じて基地局に情報を伝送することができる。端末が伝送または受信する情報には、データ及び種々の制御情報があり、端末が伝送または受信する情報の種類及び用途によって様々な物理チャネルが存在する。
【０００３】
多重入出力（Ｍｕｌｔｉｐｌｅ  Ｉｎｐｕｔ  Ｍｕｌｔｉｐｌｅ  Ｏｕｔｐｕｔ；ＭＩＭＯ）手法とは、基地局と端末機で２以上の送／受信アンテナを用いて空間的に複数のデータストリームを同時に伝送することによって、システムの容量を増加させる方式のことをいう。この手法は、複数の送信アンテナを用いて送信ダイバーシティ（ｄｉｖｅｒｓｉｔｙ）、空間多重化（Ｓｐａｔｉａｌ  Ｍｕｌｔｉｐｌｅｘｉｎｇ）またはビームフォーミング（Ｂｅａｍｆｏｒｍｉｎｇ）を具現することができる。
【０００４】
送信ダイバーシティ手法は、複数の送信アンテナを通じて同一のデータ情報を伝送することによって、受信機からのチャネル関連フィードバック情報無しにも、高信頼度のデータ伝送を実現することができる。ビームフォーミングは、複数の送信アンテナにそれぞれ適した重み値をかけることで受信機の受信ＳＩＮＲ（Ｓｉｇｎａｌ  ｔｏ  Ｉｎｔｅｒｆｅｒｅｎｃｅ  ｐｌｕｓ  Ｎｏｉｓｅ  Ｒａｔｉｏ）を増加させることができるもので、一般に、ＦＤＤ（Ｆｒｅｑｕｅｎｃｙ  Ｄｉｖｉｓｉｏｎ  Ｄｕｐｌｅｘｉｎｇ）システムにおいてアップ／ダウンリンクのチャネルが独立しているから、適したビームフォーミング利得を得るためには信頼性の高いチャネル情報を必要とし、よって、受信機から別にフィードバック（Ｆｅｅｄｂａｃｋ）を受けなければならない。
【０００５】
一方、空間多重化方式は、単一ユーザー及び多重ユーザーに対する空間多重化方式に区別できる。単一ユーザーに対する空間多重化は、ＳＭ（Ｓｐａｔｉａｌ  Ｍｕｌｔｉｐｌｅｘｉｎｇ）あるいはＳＵ−ＭＩＭＯ（Ｓｉｎｇｌｅ  Ｕｓｅｒ  ＭＩＭＯ）と呼ばれ、一つのユーザー（端末）に基地局の複数のアンテナリソースを全て割り当てる方式であり、ＭＩＭＯチャネルの容量はアンテナ数に比例して増加する。一方、多重ユーザーに対する空間多重化は、ＳＤＭＡ（Ｓｐａｔｉａｌ  Ｄｉｖｉｓｉｏｎａｌ  Ｍｕｌｔｉｐｌｅ  Ａｃｃｅｓｓ）あるいはＭＵ−ＭＩＭＯ（Ｍｕｌｔｉ−Ｕｓｅｒ  ＭＩＭＯ）と呼ばれ、複数のユーザー（端末）に基地局の複数のアンテナリソースまたは無線空間リソースを分配する方式である。
【０００６】
ＭＩＭＯ手法を使用する場合に、同時に伝送されるＮ個のデータストリームを、一つのチャネルエンコーディングブロックを用いて伝送する単一コードワード（Ｓｉｎｇｌｅ  ＣｏｄｅＷｏｒｄ、ＳＣＷ）方式と、Ｎ個のデータストリームを、Ｍ（ここで、Ｍは常にＮより小さいかまたは同じである。）個のチャネルエンコーディングブロックを用いて伝送する多重コードワード（Ｍｕｌｔｉｐｌｅ  ＣｏｄｅＷｏｒｄ、ＭＣＷ）方式がある。ここで、各チャネルエンコーディングブロックは独立したコードワードを生成し、各コードワードは独立したエラー検出が可能なように設計される。
【０００７】
一方、ダウンリンク制御チャネルは、ダウンリンクデータチャネルを通じて伝送される信号に対するリソース割当及び伝送フォーマットなどを定義する制御信号を含むことができる。３ＧＰＰ  ＬＴＥ（Ｌｏｎｇ  Ｔｅｒｍ  Ｅｖｏｌｕｔｉｏｎ）標準において、ダウンリンク制御チャネル及びダウンリンクデータチャネルはそれぞれ、ＰＤＣＣＨ（Ｐｈｙｓｉｃａｌ  Ｄｏｗｎｌｉｎｋ  Ｃｏｎｔｒｏｌ  Ｃｈａｎｎｅｌ）及びＰＤＳＣＨ（Ｐｈｙｓｉｃａｌ  Ｄｏｗｎｌｉｎｋ  Ｓｈａｒｅｄ  Ｃｈａｎｎｅｌ）といい、ＰＤＣＣＨを通じて伝送される制御情報をダウンリンク制御情報（ｄｏｗｎｌｉｎｋ  ｃｏｎｔｒｏｌ  ｉｎｆｏｒｍａｔｉｏｎ、ＤＣＩ）という。
【０００８】
基地局は、端末に伝送しようとするＤＣＩによってＰＤＣＣＨフォーマットを決定し、制御情報にＣＲＣ（Ｃｙｃｌｉｃ  Ｒｅｄｕｎｄａｎｃｙ  Ｃｈｅｃｋ）を付加する。ＣＲＣには、ＰＤＣＣＨのオーナー（ｏｗｎｅｒ）や用途によって固有の識別子（これをＲＮＴＩ（Ｒａｄｉｏ  Ｎｅｔｗｏｒｋ  Ｔｅｍｐｏｒａｒｙ  Ｉｄｅｎｔｉｆｉｅｒ）という。）がマスキングされる。特定端末のためのＰＤＣＣＨでは、端末の固有識別子、例えば、Ｃ−ＲＮＴＩ（Ｃｅｌｌ−ＲＮＴＩ）がＣＲＣにマスキングされてもよい。Ｃ−ＲＮＴＩが用いられると、ＰＤＣＣＨは、該当する特定端末のための制御情報を搬送し、他のＲＮＴＩが用いられると、ＰＤＣＣＨは、セル内の全てのまたは複数の端末が受信する共用制御情報を搬送する。
【０００９】
ＤＣＩにＣＲＣを付加した後に、チャネルコーディング、レートマッチング及び変調を行い、変調されたシンボルは、物理リソース要素にマッピングされて端末に伝送される。端末は、毎サブフレームごとに複数のＰＤＣＣＨをモニタリングする。ここでいうモニタリングは、端末が、モニタリングされるＤＣＩフォーマットに従ってＰＤＣＣＨのそれぞれのデコーディングを試みることを指す。サブフレーム内で割り当てられた制御領域において、基地局は端末に、該当するＰＤＣＣＨの位置に関する情報を提供しない。そのため、端末は、サブフレーム内でＰＤＣＣＨ候補（ｃａｎｄｉｄａｔｅ）の集合をモニタリングして自身のＰＤＣＣＨを見つかる。これをブラインドデコーディング（ｂｌｉｎｄ  ｄｅｃｏｄｉｎｇ）という。例えば、端末は、該当するＰＤＣＣＨから自身のＣ−ＲＮＴＩをデマスキングしてＣＲＣエラーが検出されないと、該ＰＤＣＣＨを、自身のＤＣＩを有するＰＤＣＣＨとして検出する。端末は、種々の伝送モードによるＰＤＣＣＨを通じてシグナリングされたＰＤＳＣＨデータ伝送を受信するように、上位層シグナリングを通じて半−静的に（ｓｅｍｉ−ｓｔａｔｉｃａｌｌｙ）設定されることが可能である。
【００１０】
ダウンリンク信号を受信するために、端末は、まず、ＰＤＣＣＨでダウンリンクリソース割当を受信する。ＰＤＣＣＨの検出に成功すると、端末は、ＰＤＣＣＨ上のＤＣＩを読む。端末はＤＣＩ中のダウンリンクリソース割当を用いてＰＤＳＣＨ上のダウンリンクデータを受信することができる。
【発明の概要】
【発明が解決しようとする課題】
【００１１】
上述したＭＩＭＯ手法によるダウンリンク信号伝送においても、基地局は、端末がダウンリンク信号を正確に受信するようにする制御情報を、ＰＤＣＣＨを通じてＤＣＩとして伝送することができる。既存のＭＩＭＯ手法と異なる新しいＭＩＭＯ手法を用いてダウンリンク信号を伝送する場合に、既存に定義されたＤＣＩフォーマットに従う制御情報によっては端末がダウンリンク信号を正確に受信できない問題が生じうる。そこで、新しい方式のダウンリンクＭＩＭＯ伝送において、ダウンリンク信号を端末が正確に受信するのに必要な制御情報を端末に提供することが要求される。
【課題を解決するための手段】
【００１２】
上記の技術的課題を解決するために、本発明の一実施例に係る第１及び第２アンテナポートを用いる二重レイヤー伝送を支援する多重入出力（ＭＩＭＯ）システムにおいて端末が基地局からダウンリンク信号を受信する方法は、  ダウンリンク制御チャネルを通じてダウンリンク制御情報（ＤＣＩ）を受信し、ダウンリンクデータチャネルを通じて、第１及び第２伝送ブロックの一つ以上を含むダウンリンクデータを受信すること、を含み、前記ダウンリンク制御情報は、前記第１及び第２伝送ブロックのそれぞれに対する新規データ指示子（ＮＤＩ）を含み、前記ダウンリンク制御情報において前記第１伝送ブロックが非活性化され、前記第２伝送ブロックが活性化されることを表す場合に、前記第１伝送ブロックに対する新規データ指示子は、前記第２伝送ブロックが受信されるアンテナポートを指示することができる。
【００１３】
前記新規データ指示子は１ビットで与えられ、前記第１伝送ブロックに対する新規データ指示子が第１値であると、前記第１アンテナポートが指示され、前記第１伝送ブロックに対する新規データ指示子が第２値であると、前記第２アンテナポートが指示されるとよい。
【００１４】
また、前記第２伝送ブロックは、第１及び第２コードワード（Ｃｏｄｅｗｏｒｄ）のうちの一つにマッピングされ、前記第２伝送ブロックのマッピングされた一つのコードワードは、第１及び第２レイヤーのうちの一つにマッピングされ、前記第２伝送ブロックのマッピングされた一つのコードワードがマッピングされた一つのレイヤーは、前記第１及び第２アンテナポートのうちの一つに対応することができる。
【００１５】
また、前記ダウンリンク制御情報は、前記第１及び第２伝送ブロックのそれぞれに対する変調及びコーディング方式（ＭＣＳ）及びリダンダンシバージョン（ＲＶ）をさらに含み、前記変調及びコーディング方式（ＭＣＳ）及び前記リダンダンシバージョン（ＲＶ）の一つ以上により、該当の伝送ブロックが非活性化されるか否かが指示されるとよい。
【００１６】
また、上記ダウンリンク信号受信方法は。前記第１及び第２アンテナポートの一つ以上に対して前記ダウンリンクデータを復調するための端末−特定参照信号（ＵＥ−ｓｐｅｃｉｆｉｃ  Ｒｅｆｅｒｅｎｃｅ  Ｓｉｇｎａｌ）を受信することをさらに含むことができる。
【００１７】
前記ダウンリンクデータチャネルは、物理ダウンリンク共用チャネル（ＰＤＳＣＨ）であり、前記ダウンリンク制御チャネルは、物理ダウンリンク制御チャネル（ＰＤＣＣＨ）でよい。
【００１８】
上記の技術的課題を解決するために、本発明の他の実施例に係る第１及び第２アンテナポートを用いる二重レイヤー伝送を支援する多重入出力（ＭＩＭＯ）システムにおいて基地局が端末にダウンリンク信号を伝送する方法は、ダウンリンク制御チャネルを通じてダウンリンク制御情報（ＤＣＩ）を伝送し、ダウンリンクデータチャネルを通じて、第１及び第２伝送ブロックの一つ以上を含むダウンリンクデータを伝送すること、を含み、前記ダウンリンク制御情報は、前記第１及び第２伝送ブロックのそれぞれに対する新規データ指示子（ＮＤＩ）を含み、前記ダウンリンク制御情報において、前記第１伝送ブロックが非活性化され、前記第２伝送ブロックが活性化されることを表す場合に、前記第１伝送ブロックに対する新規データ指示子は、前記第２伝送ブロックが伝送されるアンテナポートを指示することができる。
【００１９】
また、前記新規データ指示子は１ビットで与えられ、前記第１伝送ブロックに対する新規データ指示子が第１値であると、前記第１アンテナポートが指示され、前記第１伝送ブロックに対する新規データ指示子が第２値であると、前記第２アンテナポートが指示されるとよい。
【００２０】
また、前記第２伝送ブロックは、第１及び第２コードワード（Ｃｏｄｅｗｏｒｄ）のうちの一つにマッピングされ、前記第２伝送ブロックのマッピングされた一つのコードワードは、第１及び第２レイヤーのうちの一つにマッピングされ、前記第２伝送ブロックのマッピングされた一つのコードワードがマッピングされた一つのレイヤーは、前記第１及び第２アンテナポートのうちの一つに対応することができる。
【００２１】
前記ダウンリンク制御情報は、前記第１及び第２伝送ブロックのそれぞれに対する変調及びコーディング方式（ＭＣＳ）及びリダンダンシバージョン（ＲＶ）をさらに含み、前記変調及びコーディング方式（ＭＣＳ）及び前記リダンダンシバージョン（ＲＶ）の一つ以上により、該当の伝送ブロックが非活性化されるか否かが指示されるとよい。
【００２２】
また、上記ダウンリンク信号伝送方法は、前記第１及び第２アンテナポートの一つ以上に対して前記ダウンリンクデータを復調するための端末−特定参照信号（ＵＥ−ｓｐｅｃｉｆｉｃ  Ｒｅｆｅｒｅｎｃｅ  Ｓｉｇｎａｌ）を伝送することをさらに含むことができる。
【００２３】
前記ダウンリンクデータチャネルは、物理ダウンリンク共用チャネル（ＰＤＳＣＨ）であり、前記ダウンリンク制御チャネルは、物理ダウンリンク制御チャネル（ＰＤＣＣＨ）でよい。
【００２４】
上記の技術的課題を解決するために、本発明のさらに他の実施例に係る第１及び第２アンテナポートを用いる二重レイヤー伝送を支援する多重入出力（ＭＩＭＯ）システムにおいて基地局からダウンリンク信号を受信する端末は、前記基地局から制御情報及びデータを受信する受信モジュールと、前記基地局に制御情報及びデータを伝送する伝送モジュールと、前記受信モジュール及び前記伝送モジュールに接続し、前記受信モジュール及び前記伝送モジュールを含む前記端末を制御するプロセッサと、を含み、前記プロセッサは、ダウンリンク制御チャネルを通じてダウンリンク制御情報（ＤＣＩ）を受信するように前記受信モジュールを制御し、ダウンリンクデータチャネルを通じて第１及び第２伝送ブロックの一つ以上を含むダウンリンクデータを受信するように前記受信モジュールを制御するように構成され、前記ダウンリンク制御情報は、前記第１及び第２伝送ブロックのそれぞれに対する新規データ指示子（ＮＤＩ）を含み、前記ダウンリンク制御情報において、前記第１伝送ブロックが非活性化され、前記第２伝送ブロックが活性化されることを表す場合に、前記第１伝送ブロックに対する新規データ指示子は、前記第２伝送ブロックが受信されるアンテナポートを指示することができる。
【００２５】
上記の技術的課題を解決するために、本発明のさらに他の実施例に係る第１及び第２アンテナポートを用いる二重レイヤー伝送を支援する多重入出力（ＭＩＭＯ）システムにおいて端末にダウンリンク信号を伝送する基地局は、前記端末から制御情報及びデータを受信する受信モジュールと、前記端末に制御情報及びデータを伝送する伝送モジュールと、前記受信モジュール及び前記伝送モジュールに接続し、前記受信モジュール及び前記伝送モジュールを含む前記基地局を制御するプロセッサと、を含み、前記プロセッサは、ダウンリンク制御チャネルを通じてダウンリンク制御情報（ＤＣＩ）を伝送するように前記伝送モジュールを制御し、ダウンリンクデータチャネルを通じて第１及び第２伝送ブロックの一つ以上を含むダウンリンクデータを伝送するように前記伝送モジュールを制御するように構成され、前記ダウンリンク制御情報は、前記第１及び第２伝送ブロックのそれぞれに対する新規データ指示子（ＮＤＩ）を含み、前記ダウンリンク制御情報において、前記第１伝送ブロックが非活性化され、前記第２伝送ブロックが活性化されることを表す場合に、前記第１伝送ブロックに対する新規データ指示子は、前記第２伝送ブロックが伝送されるアンテナポートを指示することができる。
【発明の効果】
【００２６】
ダウンリンクＭＩＭＯ伝送において必要なダウンリンク制御情報を效率的に構成する方法が提供される。
【００２７】
本発明から得られる効果は、以上に言及した効果に制限されるものではなく、言及していない他の効果は、下の記載から、本発明の属する技術の分野における通常の知識を有する者には明らかになるであろう。
【図面の簡単な説明】
【００２８】
【図１】従来システムにおいてダウンリンクＭＩＭＯ構造を示すブロック図である。
【図２】ダウンリンクＭＩＭＯ構造においてレイヤーと物理的なアンテナとのマッピング関係を示す図である。
【図３】本発明で用いられるダウンリンク制御情報（ＤＣＩ）フォーマット２Ａを示す図である。
【図４】本発明で用いられるＤＣＩフォーマット１Ａを示す図である。
【図５】本発明で用いられるＤＣＩフォーマット１Ｄを示す図である。
【図６】本発明の一実施例に係る新しいＤＣＩフォーマットを示す図である。
【図７】本発明の他の実施例に係る新しいＤＣＩフォーマットを示す図である。
【図８】本発明のさらに他の実施例に係る新しいＤＣＩフォーマットを示す図である。
【図９】本発明に係る端末装置の好適な実施例の構成を示す図である。
【図１０】本発明に係る基地局装置の好適な実施例の構成を示す図である。
【発明を実施するための形態】
【００２９】
以下の実施例は、本発明の構成要素及び特徴を所定の形態で結合したものである。各構成要素または特徴は、別に明示しない限り、選択的なものと考慮しなければならない。各構成要素または特徴が他の構成要素や特徴と結合しない形態で実施してもよく、一部の構成要素及び／または特徴を結合させて本発明の実施例を構成してもよい。本発明の実施例で説明される動作の順序は変更してもよい。ある実施例の一部構成や特徴は、他の実施例に含まれてもよく、他の実施例の対応する構成または特徴に代えてもよい。
【００３０】
本明細書では、本発明の実施例を、基地局と端末との間におけるデータ送受信の関係を中心に説明する。ここで、基地局は、端末と直接通信を行うネットワークの終端ノード（ｔｅｒｍｉｎａｌ  ｎｏｄｅ）としての意味を有する。本文書で、基地局により行われるとした特定動作は、場合によっては、基地局の上位ノード（ｕｐｐｅｒ  ｎｏｄｅ）により行われることもある。
【００３１】
すなわち、基地局を含む多数のネットワークノード（ｎｅｔｗｏｒｋ  ｎｏｄｅｓ）からなるネットワークにおいて、端末との通信のために行われる種々の動作は、基地局または基地局以外の他のネットワークノードにより行われうるということは自明である。「基地局（ＢＳ：Ｂａｓｅ  Ｓｔａｔｉｏｎ）」は、固定局（ｆｉｘｅｄ  ｓｔａｔｉｏｎ）、Ｎｏｄｅ  Ｂ、ｅＮｏｄｅ  Ｂ（ｅＮＢ）、アクセスポイント（ＡＰ：Ａｃｃｅｓｓ  Ｐｏｉｎｔ）などの用語に代えてもよい。中継機は、リレーノード（Ｒｅｌａｙ  Ｎｏｄｅ、ＲＮ）、リレーステーション（Ｒｅｌａｙ  Ｓｔａｔｉｏｎ、ＲＳ）などの用語に代えてもよい。また、「端末（Ｔｅｒｍｉｎａｌ）」は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）、ＳＳ（Ｓｕｂｓｃｒｉｂｅｒ  Ｓｔａｔｉｏｎ）などの用語に代えてもよい。
【００３２】
以下の説明で用いられる特定用語は、本発明の理解を助けるために提供されたもので、これらの特定用語の使用は、本発明の技術的思想から逸脱することなく他の形態に変更可能である。
【００３３】
場合によっては、本発明の概念が曖昧になることを避けるために、公知の構造及び装置は省略されたり、各構造及び装置の核心機能を中心にしたブロック図の形式で示されることがある。また、本明細書全体を通じて同一の構成要素には同一の図面符号を付して説明する。
【００３４】
本発明の実施例は、無線接続システムであるＩＥＥＥ  ８０２システム、３ＧＰＰシステム、３ＧＰＰ  ＬＴＥ及びＬＴＥ−Ａ（ＬＴＥ−Ａｄｖａｎｃｅｄ）システム、及び３ＧＰＰ２システムの少なくとも一つに開示された標準文書でサポートすることかできる。すなわち、本発明の実施例において本発明の技術的思想を明確にするために説明しない段階または部分は、上記の標準文書でサーポートすることができる。なお、本文書で開示している全ての用語は、上記の標準文書により説明することができる。
【００３５】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などのような種々の無線接続システムで用いることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）とすることができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術とすることができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などのような無線技術とすることができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）  ＬＴＥ（ｌｏｎｇ  ｔｅｒｍ  ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であり、ダウンリンクでＯＦＤＭＡを採用し、アップリンクでＳＣ−ＦＤＭＡを採用する。ＬＴＥ−Ａ（Ａｄｖａｎｃｅｄ）は、３ＧＰＰ  ＬＴＥの進展である。ＷｉＭＡＸは、ＩＥＥＥ  ８０２．１６ｅ規格（ＷｉｒｅｌｅｓｓＭＡＮ−ＯＦＤＭＡ  Ｒｅｆｅｒｅｎｃｅ  Ｓｙｓｔｅｍ）及び進展したＩＥＥＥ  ８０２．１６ｍ規格（ＷｉｒｅｌｅｓｓＭＡＮ−ＯＦＤＭＡ  Ａｄｖａｎｃｅｄ  ｓｙｓｔｅｍ）により説明することができる。明確性のために、以下では、３ＧＰＰ  ＬＴＥ標準を中心に説明するが、本発明の技術的思想はこれに制限されない。
【００３６】
ＭＩＭＯ（Ｍｕｌｔｉｐｌｅ  Ｉｎｐｕｔ  Ｍｕｌｔｉｐｌｅ  Ｏｕｔｐｕｔ）技術は、多重送信アンテナ及び多重受信アンテナを用いてデータの送受信効率を向上させることができる。ＭＩＭＯ技術は、空間多重化（ｓｐａｔｉａｌ  ｍｕｌｔｉｐｌｅｘｉｎｇ）、伝送ダイバーシティ（ｔｒａｎｓｍｉｔ  ｄｉｖｅｒｓｉｔｙ）、ビームフォーミング（ｂｅａｍｆｏｒｍｉｎｇ）などを含むことができる。受信アンテナ数及び送信アンテナ数によるＭＩＭＯチャネル行列は、多数の独立チャネルに分解可能である。それぞれの独立チャネルを、レイヤー（ｌａｙｅｒ）またはストリーム（ｓｔｒｅａｍ）と呼ぶ。レイヤーまたはストリームの個数、または空間多重化率は、ランク（ｒａｎｋ）と呼ぶ。
【００３７】
既存のＭＩＭＯシステムは、多重コードワード（ＭＣＷ）構造に基づいて設計される。この多重コードワード構造では、同時に最大２個のコードワードが伝送されることが許容される。このようなＭＩＭＯ伝送のためには、送信端が用いる変調及びコーディング方式に関するＭＣＳ（Ｍｏｄｕｌａｔｉｏｎ  ａｎｄ  Ｃｏｄｉｎｇ  Ｓｃｈｅｍｅ）情報、伝送されるデータが新しいデータなのか再伝送されるデータなのかに関する新規データ指示子（Ｎｅｗ  Ｄａｔａ  Ｉｎｄｉｃａｔｏｒ；ＮＤＩ）、再伝送の場合に、どのサブパケットを再伝送するものであるかに関するリダンダンシバージョン（Ｒｅｄｕｎｄａｎｃｙ  Ｖｅｒｓｉｏｎ；ＲＶ）情報などが必要である。
【００３８】
図１は、既存システムにおいてダウンリンクＭＩＭＯ構造を示す図である。ＭＩＭＯ手法を支援するシステムにおいて、基地局はダウンリンクで一つ以上のコードワードを伝送することができる。コードワードは、上位層からの伝送ブロックにマッピングされるが、これについては後述する。図１では最大２個のコードワードを支援するシステムを例示する。一つ以上のコードワードはそれぞれ、スクランブリングモジュール及び変調マッパー（ｍａｐｐｅｒ）を通じて複素シンボルとして処理可能である。その後、複素シンボルはレイヤーマッパーで複数のレイヤーにマッピングされ、各レイヤーはプリコーディングモジュールでチャネル状態に応じて選択された所定プリコーディング行列とかけられた後、各伝送アンテナに割り当てられることが可能である。このように処理された各アンテナ別伝送信号はそれぞれリソース要素マッパーで伝送に用いられる時間−周波数リソース要素にマッピングされ、続いて、ＯＦＤＭ信号生成器を経て各アンテナから伝送可能である。
【００３９】
伝送ブロック対コードワードマッピング関係について説明する。図１で、２つの伝送ブロック（Ｔｒａｎｓｐｏｒｔ  Ｂｌｏｃｋ；ＴＢ）は、伝送ブロック対コードワードマッピング規則（ｔｒａｎｓｐｏｒｔ  ｂｌｏｃｋ  ｔｏ  ｃｏｄｅｗｏｒｄ  ｍａｐｐｉｎｇ  ｒｕｌｅ）に従って２つのコードワードにマッピング（ｍａｐｐｉｎｇ）される。伝送ブロック対コードワードスワップフラグ（ＴＢ  ｔｏ  ＣＷ  ｓｗａｐ  ｆｌａｇ）によって、上記マッピング規則は下記の表１及び表２のように構成できる。
【００４０】
【表１】
2013504921.tif 000003
【００４１】
【表２】
2013504921.tif 000004
表１は、２個の伝送ブロックとも活性化した（ｅｎａｂｌｅｄ）場合における伝送ブロック対コードワードマッピング規則の一例を示し、表２は、２個の伝送ブロックのいずれか一方が活性化し、他方は非活性化した（ｄｉｓａｂｌｅｄ）場合における伝送ブロック対コードワードマッピング規則の一例を示す。
【００４２】
表２で、伝送ブロックが非活性化する場合において、伝送ブロックの大きさは０である。伝送ブロックの大きさが０の場合には、該当の伝送ブロックがコードワードにマッピングされない。
【００４３】
もし、単一アンテナを用いて信号を伝送する場合に、一つのコードワードは一つのレイヤーにそのままマッピングされて伝送される。しかし、多重アンテナを用いて信号を伝送する場合には、コードワード対レイヤーマッピング（ｃｏｄｅｗｏｒｄ−ｔｏ−ｌａｙｅｒ  ｍａｐｐｉｎｇ）規則は、伝送方式によって下記の表３及び表４のようにすることができる。
【００４４】
【表３】
2013504921.tif 000005
【００４５】
【表４】
2013504921.tif 000006
上記の表３は、空間多重化方式で信号を伝送する場合の例を示し、表４は、送信ダイバーシティ方式で信号を伝送する場合の例を示している。また、表３及び表４において、ｘ（ａ）（ｉ）は、インデックスａを持つレイヤーのｉ番目のシンボルを表し、ｄ（ａ）（ｉ）は、インデックスａを持つコードワードのｉ番目のシンボルを表す。上記の表３及び表４における「Ｎｕｍｂｅｒ  ｏｆ  ｌａｙｅｒｓ」の項目と「Ｎｕｍｂｅｒ  ｏｆ  ｃｏｄｅｗｏｒｄｓ」の項目から、伝送に用いられるコードワード個数及びレイヤー個数のマッピング関係がわかり、「Ｃｏｄｅｗｏｒｄ−ｔｏ−Ｌａｙｅｒ  ｍａｐｐｉｎｇ」の項目は、各コードワードのシンボルがどのようにしてレイヤーにマッピングされるかを表す。
【００４６】
上記の表３及び表４からわかるように、一つのコードワードは一つのレイヤーにシンボル単位にマッピングされて伝送されることもあり、表４の２番目の場合のように、一つのコードワードが最大４個のレイヤーに分散してマッピングされることもある。
【００４７】
図２を参照してレイヤーと物理的なアンテナとのマッピング関係について説明する。以下の説明は例示的なもので、レイヤーと物理的なアンテナとのマッピング関係は任意の形態を有することができる。以下の説明では、ＭＩＭＯ伝送手法を支援するシステムが４個の物理的な伝送アンテナを有するとする。ランクが１の場合は、一つのコードワード（ＣＷ１）が一つのレイヤーにマッピングされ、プリコーディング手法により、一つのレイヤーで生成されたデータが４個の伝送アンテナから伝送されるようにエンコーディングされる形態を例示している。ランクが２の場合に、２個のコードワード（ＣＷ１及びＣＷ２）が２個のレイヤーにマッピングされ、プリコーダにより、４個の伝送アンテナにマッピングされる形態を例示している。また、ランク３の場合に、２個のコードワードのいずれか一方（ＣＷ１）は、一つのレイヤーにマッピングされ、いずれか他方（ＣＷ２）は、直−並列変換器（Ｓ／Ｐ）により２個のレイヤーにマッピングされ、総２個のコードワードが３個のレイヤーにマッピングされた後に、プリコーダにより４個の伝送アンテナにマッピングされる形態を例示している。また、ランクが４の場合に、２個のコードワード（ＣＷ１及びＣＷ２）のそれぞれが直−並列変換器によりそれぞれ２個のレイヤーにマッピングされ、総４個のレイヤーがプリコーダにより４個の伝送アンテナにマッピングされる形態を例示している。
【００４８】
４個の伝送アンテナを有する基地局は、最大４個のレイヤーを有することができ、４個の独立したコードワードを有することができるが、図２ではコードワードの個数を最大２個のみ有するように構成されたシステムを例示している。また、上述したように、２つのコードワード（ＣＷ１及びＣＷ２）を通じて伝送される情報の位置が変わって伝送されることもある。
【００４９】
一方、プリコーダ（Ｐｒｅｃｏｄｅｒ）は、主に、Ｍｔ（伝送アンテナ個数）＊ｖ（空間多重化率）行列（Ｍａｔｒｉｘ）で表現され、送／受信機があらかじめ定めておいた集合を用いて、状況に応じて適切にプリコーディング行列を適応的に使用する。このようなプリコーディング行列の集合をコードブック（ｃｏｄｅｂｏｏｋ）という。
【００５０】
既存の３ＧＰＰ  ＬＴＥシステムでは、４個以上の論理的なアンテナポート（例えば、アンテナポート０〜５）を用いることができる。ここで、アンテナポートの区別は物理的な区別ではなく、よって、各論理アンテナインデックスを実際にどの物理アンテナインデックスにマッピングするかは、各メーカー別に定めればよい。アンテナポートと物理アンテナとは必ずしも一対一で対応する必要はなく、一つのアンテナポートが、一つの物理アンテナ、または多数の物理アンテナの組み合わせであるアンテナアレイに対応すればよい。
【００５１】
３ＧＰＰ  ＬＴＥシステムにおいて、ダウンリンク参照信号には、（ＭＢＳＦＮ伝送に関連しない）セル特定参照信号（Ｃｅｌｌ−ｓｐｅｃｉｆｉｃ  ｒｅｆｅｒｅｎｃｅ  ｓｉｇｎａｌｓ）、ＭＢＳＦＮ伝送に関連するＭＢＳＦＮ参照信号、及びＵＥ特定参照信号（ＵＥ−ｓｐｅｃｉｆｉｃ  ｒｅｆｅｒｅｎｃｅ  ｓｉｇｎａｌｓ）を含む３種類の参照信号が用いられている。
【００５２】
セル特定参照信号は、各セル別のセルＩＤを初期値として用いて生成したシーケンスを用いる参照信号で、セル特定参照信号の伝送には、アンテナポート０乃至３を用いることができる。また、ＭＢＳＦＮ参照信号は、ＭＢＳＦＮ伝送に対するダウンリンクチャネル情報獲得のために用いられ、アンテナポート４を通じて伝送される参照信号である。
【００５３】
ＵＥ特定参照信号は、ＰＤＳＣＨの単一アンテナポート伝送に対して支援され、アンテナポート５を通じて伝送されるとよい。端末（ユーザー機器；ＵＥ）は、このような端末特定参照信号が存在してＰＤＳＣＨ復調（ｄｅｍｏｄｕｌａｔｉｏｎ）に使用可能かどうかについて上位層（ＭＡＣ層以上）から伝達を受けることができる。ＵＥ特定参照信号は、特定端末に対するデータ伝送のビームフォーミングを可能にする。例えば、基地局は、隣接して位置している物理アンテナのアレイ（一つのアンテナポート）を用いて特定端末に対する指向性伝送を生成することができる。互いに異なる物理アンテナからの信号は、適切に位相（ｐｈａｓｅ）が設定され、端末の位置で全て合わせられることが可能である。このような指向性伝送は、端末には一つのアンテナとして認識される。ビームフォーミングにより形成されたビームは、基地局と端末との間で互いに異なるチャネル応答を経験するので、ビームフォーミングされたデータを端末が正確に復調するようにするにはＵＥ特定参照信号の使用が要求される。
【００５４】
上述したＵＥ特定参照信号は、専用参照信号（Ｄｅｄｉｃａｔｅｄ  Ｒｅｆｅｒｅｎｃｅ  Ｓｉｇｎａｌ；ＤＲＳ）またはプリコーディングされたＤＭＲＳ（ｐｒｅｃｏｄｅｄ  ＤｅＭｏｄｕｌａｔｉｏｎ  Ｒｅｆｅｒｅｎｃｅ  Ｓｉｇｎａｌ）に該当する。プリコーディングされた参照信号が用いられる場合に、空間多重化率に該当する個数だけの参照信号が伝送される。
【００５５】
ＵＥ特定参照信号は、単一レイヤービームフォーミング（ランク１伝送のビームフォーミング）の用途に用いられてもよい。上述したように、ＵＥ特定参照信号は、ＰＤＳＣＨ上のデータに対して適用されたプリコーダと同じプリコーダによってプリコーディングされるので、プリコーディング行列は端末には透過的（ｔｒａｎｓｐａｒｅｎｔ）である。すなわち、ＵＥ特定参照信号を用いた伝送の場合には、推定されたチャネルがプリコーディング重み値を含んでいるため、プリコーディングに関する情報無しで単一レイヤービームフォーミングが具現できる。このような単一レイヤービームフォーミングには、上述したＤＣＩフォーマットのうち、単一アンテナポート伝送及び送信ダイバーシティについて定義したＤＣＩフォーマット１またはＤＣＩフォーマット１Ａを用いることができる。
【００５６】
一方、既存の３ＧＰＰ  ＬＴＥ（Ｒｅｌｅａｓｅ  ８）システムでは、ＵＥ特定参照信号の伝送されるアンテナポートとしてはアンテナポート５のみが定義されているため、ランクが２以上の場合は、セル特定参照信号（アンテナポート０乃至３）を用いてデータを送信する必要があった。すなわち、それぞれの端末は、セル特定参照信号を通じて獲得したチャネル情報と制御チャネルを通じて獲得したプリコーディング重み値情報とを用いてデータ復調を行うことが可能だった。
【００５７】
近年、３ＧＰＰ  ＬＴＥ  Ｒｅｌｅａｓｅ  ９では、二重（ｄｕａｌ）レイヤービームフォーミング（または、二重ストリームビームフォーミング）の導入が議論中である。二重レイヤービームフォーミングは、ＵＥ特定参照信号に基づいて最大ランク２の伝送を支援するＭＩＭＯ伝送手法を意味し、上述した単一レイヤービームフォーミングの拡張に該当する。二重レイヤービームフォーミングによれば、最大２個の活性化した伝送ブロックがそれぞれ２個のコードワードにマッピングされて２個のレイヤーを通じて伝送され、レイヤー別に専用参照信号が伝送される。二重レイヤービームフォーミングによれば、基地局がプリコーディング情報をそれぞれの端末に知らせなくとも、端末はそれぞれのレイヤーごとに伝送されるＵＥ特定参照信号を通じて獲得したチャネル情報を用いて、多重ユーザー干渉なく基地局からのＭＩＭＯ伝送を受信することが可能になる。
【００５８】
二重レイヤービームフォーミングのための専用参照信号は、ＴＤＭ（Ｔｉｍｅ  Ｄｉｖｉｓｉｏｎ  Ｍｕｌｔｉｐｌｅｘｉｎｇ）／ＦＤＭ（Ｆｒｅｑｕｅｎｃｙ  Ｄｉｖｉｓｉｏｎ  Ｍｕｌｔｉｐｌｅｘｉｎｇ）／ＣＤＭ（Ｃｏｄｅ  Ｄｉｖｉｓｉｏｎ  Ｍｕｌｔｉｐｌｅｘｉｎｇ）などの手法を用いて各レイヤーが直交（ｏｒｔｈｇｏｎａｌ）するように設計することができる。単一レイヤーのみを用いて伝送する場合に、２つのレイヤーを支援する専用参照信号のうち、単一レイヤー伝送されるレイヤーに該当する参照信号を知らせることによって、データ復調の性能を向上させることができる。そのため、ダウンリンク制御情報において単一レイヤービームフォーミングのために用いられる参照信号を指示するビットフィールドが要求される。
【００５９】
また、二重レイヤービームフォーミングは、２個のレイヤーまたは単一レイヤーを通じてデータを送受信できる。２個のレイヤーを通じて互いに異なるコードワードが伝送される場合は、多重コードワード単一ユーザー−多重入出力（ＭＣＷＳＵ−ＭＩＭＯ）に該当する。単一レイヤーを用いる伝送の場合は、ＳＵ−ＭＩＭＯまたは多重ユーザー−多重入出力（ＭＵ−ＭＩＭＯ）として動作できる。単一レイヤーを用いて一つのユーザーにデータが伝送される場合はＳＵ−ＭＩＭＯに該当する。２個のレイヤーがそれぞれ異なるユーザーのために割り当てられる場合はＭＵ−ＭＩＭＯに該当する。ＭＵ−ＭＩＭＯでは、それぞれの端末がＵＥ特定参照信号を通じて獲得したチャネル情報を用いてそれぞれのレイヤーを分離可能でなければならず、よって、基地局は、それぞれの端末に該当するレイヤーを指示する情報を提供することで、端末のチャネル獲得を可能にさせることができる。上述したように、二重レイヤービームフォーミング手法では最大２個のレイヤーが用いられるので、基地局が２個のレイヤーのうち一つのレイヤーを指示するためには１ビットの情報が必要であるということがわかる。
【００６０】
以下では、二重レイヤービームフォーミングを支援するために既存のＤＣＩフォーマットで定義されたフィールドを新しく解析する本発明の実施の形態について説明する。既存の３ＧＰＰ  ＬＴＥ標準（例えば、３ＧＰＰ  ＬＴＥ  Ｒｅｌｅａｓｅ  ８）では、ＤＣＩフォーマット０、１、１Ａ、１Ｂ、１Ｃ、１Ｄ、２、２Ａ、３及び３Ａを定義する。簡略に説明すると、ＤＣＩフォーマット０は、アップリンクリソース割当情報を示し、ＤＣＩフォーマット１〜２は、ダウンリンクリソース割当情報を示し、ＤＣＩフォーマット３、３Ａは、任意のＵＥグループに対するアップリンクＴＰＣ（ｔｒａｎｓｍｉｔ  ｐｏｗｅｒ  ｃｏｎｔｒｏｌ）命令を示す。
【００６１】
図３には、既存の３ＧＰＰ  ＬＴＥ標準（Ｒｅｌｅａｓｅ  ８）で定義するダウンリンク制御情報（ＤＣＩ）フォーマット２Ａを示す。ＤＣＩフォーマット２Ａは、開ループ空間多重化伝送のための制御情報フォーマットに該当する。開ループ空間多重化伝送とは、端末からのフィードバック無しで空間多重化伝送がなされることを意味する。
【００６２】
ＤＣＩフォーマット２Ａは、最大２個のコードワード（伝送ブロック）を支援し、それぞれの伝送ブロックに対してＭＣＳ、ＮＤＩ及びＲＶを定義する。上述したようにＭＣＳは、送信端が用いる変調及びコーディング方式を示す情報であり、ＮＤＩは、伝送されるデータが新しいデータなのか再伝送されるデータなのかを示す新規データ指示子であり、ＲＶは、再伝送の場合に、どのサブパケットを再伝送するかを示すリダンダンシバージョン情報を意味する。一方、伝送ブロック対コードワードスワップフラグは、表１で上述したように、２つの伝送ブロックの２つのコードワードへのマッピング関係においてスワップするか否かを表す。
【００６３】
ＤＣＩフォーマット２Ａに定義されたプリコーディング情報は、伝送ランクに関する情報を提供する。プリコーディング情報は、アンテナポート２個による伝送の場合は０ビットに設定され（すなわち、存在しない。）、アンテナポート４個による伝送の場合は２ビットに設定される。４アンテナポートに対するプリコーディング情報フィールドの内容は、下記の表５のように定義できる。
【００６４】
【表５】
2013504921.tif 000007
ＤＣＩフォーマット２Ａでは、ランク１の場合（一つのコードワードが活性化される場合）は、送信ダイバーシティ伝送をし、ランク２の場合は、２つのコードワードを有する空間多重化伝送をする。ランクに対する指示は、明示的に（ｅｘｐｌｉｃｉｔｌｙ）または暗黙的に（ｉｍｐｌｉｃｉｔｌｙ）行われる。明示的なランク指示は、別途のランク指示子を定義する方法によればよい。
【００６５】
一方、ランク指示子を設定せず、暗黙的な方法で端末がランクに関する情報を獲得することもできる。そのために、伝送ブロックのＭＣＳ情報及びＲＶによって、伝送ブロックの活性化されるか否かを指示できる。ＤＣＩフォーマット２Ａでは、例えば、伝送ブロックのＭＣＳインデックスの値が０に設定されることから、伝送ブロックサイズが０であることを示すと、伝送がなされないことを意味するので、その伝送ブロックが非活性化されることを指示できる。伝送ブロックのサイズが０でない場合は、その伝送ブロックが活性化されることを指示できる。または、ＭＣＳインデックスの値が０に設定され、ＲＶが１に設定される場合に伝送ブロックが非活性化されることを指示し、それ以外の場合は、伝送ブロックが活性化されることを指示できる。したがって、端末は、２個の伝送ブロックとも活性化される場合はランク２伝送に該当し、２個の伝送ブロックのいずれか一方が活性化され、残り他方が非活性化される場合はランク１伝送に該当するということが暗黙的にわかる。
【００６６】
上述したＤＣＩフォーマット２Ａの一部ビットフィールドを新しく解析する本発明の一実施の形態について説明する。
【００６７】
第１実施例は、伝送ブロック対コードワードスワップフラグをコードワード指示子として用いることに関する。
【００６８】
既存のＤＣＩ  ２Ａフォーマットの定義によれば、２つの伝送ブロックのいずれか一伝送ブロックのみ活性化される場合には、伝送ブロック対コードワードスワップフラグは留保（ｒｅｓｅｒｖｅｄ）され、伝送ブロック１及び２の両方ともコードワード０にマッピングされることが定義されている（表２参照）。本実施例では、２個の伝送ブロックのいずれか一伝送ブロックのみ活性化される場合に、いずれか一伝送ブロックがマッピングされるコードワードの指示子として伝送ブロック対コードワードスワップフラグを用いる方案を提案する。すなわち、伝送ブロック対コードワードスワップフラグは、単一レイヤービームフォーミングのために用いられるコードワードのインデックスを表す情報として再使用できる。
【００６９】
本実施例によれば、２個の伝送ブロックのいずれか一方のみ活性化される場合に、伝送ブロック対コードワードスワップフラグが留保されず、１ビット値と与えられることが定義できる。これにより、２個の伝送ブロックのいずれか一方のみが活性化されたときに、スワップフラグの論理値が第１値である場合は、伝送ブロック１のみが活性化されると、伝送ブロック１をコードワード０にマッピングし、伝送ブロック２のみが活性化されると、伝送ブロック２をコードワード１にマッピングすると解析できる。一方、２個の伝送ブロックのいずれか一方のみが活性化されたときに、スワップフラグの論理値が第２値である場合は、伝送ブロック１のみが活性化されると、伝送ブロック１をコードワード１にマッピングし、伝送ブロック２のみが活性化されると、伝送ブロック２はコードワード０にマッピングすると解析できる。スワップフラグの第１論理値は０またはｏｆｆに該当し、第２論理値は１またはｏｎに該当することができる。第１及び第２論理値は１／０またはｏｎ／ｏｆｆの任意の形態を有することができ、前述した例示に制限されない。すなわち、第１論理値が１またはｏｎに該当し、第２論理値が０またはｏｆｆに該当してもよい。このような論理値の第１値及び第２値の意味は、以下の実施例の他のビットフィールドにも同一に適用することができる。
【００７０】
表６及び表７は、上記の第１実施例による伝送ブロック対コードワードマッピング関係を表すものである。
【００７１】
【表６】
2013504921.tif 000008
【００７２】
【表７】
2013504921.tif 000009
第２実施例は、伝送ブロック対コードワードスワップフラグをコードワード指示子として用いることに関するものである。
【００７３】
本実施例によれば、２個の伝送ブロックのいずれか一方のみ活性化される場合に、伝送ブロック対コードワードスワップフラグが留保されず、１ビット値と与えられることが定義できる。２個の伝送ブロックのいずれか一方のみが活性化されたときに、スワップフラグの論理値が第１値（０またはｏｆｆ）である場合は、活性化された伝送ブロックをコードワード０にマッピングされるものと解析できる。一方、２個の伝送ブロックのいずれか一方のみが活性化されたときに、スワップフラグの論理値が第２値（１またはｏｎ）である場合は、活性化された伝送ブロックをコードワード１にマッピングされるものと解析できる。表８及び表９は、上記の第２実施例による伝送ブロック対コードワードマッピング関係を表すものである。
【００７４】
【表８】
2013504921.tif 000010
【００７５】
【表９】
2013504921.tif 000011
第３実施例は、伝送ブロック対コードワードスワップフラグをレイヤー指示子として用いることに関するものである。
【００７６】
本実施例によれば、２個のコードワードのいずれか一方のみ活性化され、他方は非活性化される場合に、スワップフラグの論理値が第１値（０またはｏｆｆ）であると、端末が第１レイヤーのチャネル情報を獲得すると解析し、スワップフラグの論理値が第２値（１またはｏｎ）であると、端末が第２レイヤーのチャネル情報を獲得すると解析できる。
【００７７】
一方、２個のコードワードのいずれか一方のみ活性化される場合に、送信ダイバーシティ方式で伝送されることが指示されると、２レイヤーベースの送信ダイバーシティ手法が適用できる。端末は、それぞれのレイヤーを通じて伝送される専用参照信号から、２個のチャネルに関するチャネル情報を獲得できる。この場合におけるコードワード対レイヤーマッピング関係は、上記の表４のマッピング関係に従えばよい。
【００７８】
第４実施例は、非活性化される伝送ブロックの新規データ指示子（ＮＤＩ）またはリダンダンシバージョン（ＲＶ）フィールドを、レイヤー指示子またはアンテナポート指示子として用いることに関する。
【００７９】
上述したように、ＤＣＩフォーマット２Ａでは、伝送ブロックに対してＭＣＳ、ＮＤＩ及びＲＶフィールドが定義される。２個の伝送ブロックのいずれか一方の伝送ブロックが活性化され、他方の伝送ブロックは非活性化される場合に、非活性化される伝送ブロックのＮＤＩフィールドまたはＲＶフィールドを他の用途に用いることができる。伝送ブロックの活性化されるか否かは、上述したように、伝送ブロックのＭＣＳインデックス値が０の場合や、ＭＣＳインデックス値が０であるとともにＲＶ値が１の場合に、その伝送ブロックは非活性化されるものと設定可能である。
【００８０】
二重レイヤービームフォーミング手法では、最大２個のレイヤーが用いられるので、基地局は、ＤＣＩ情報のうち１ビットのフィールドを用いて、２個のレイヤーのうち、単一アンテナポート伝送に用いられる一つのレイヤーまたはアンテナポートを指示できる。例えば、表１０のように、非活性化された伝送ブロックのＮＤＩ値が第１値（または０）である場合に、伝送に用いられるレイヤーが第１レイヤーであることを指示し、非活性化された伝送ブロックのＮＤＩ値が第２値（または１）である場合に、伝送に用いられるレイヤーが第２レイヤーであることを指示すると解析できる。
【００８１】
【表１０】
2013504921.tif 000012
一方、非活性化される伝送ブロックのＮＤＩフィールドを用いる代わりに、ＲＶフィールドを用いてレイヤーを指示してもよい。伝送ブロックのＭＣＳインデックス値が０のときに、その伝送ブロックが非活性化であることを示す場合は、非活性化された伝送ブロックのＲＶフィールド値が第１値（または０）であると第１レイヤーを指示し、ＲＶフィールド値が第２値（または１）であると第２レイヤーを指示すると解析してもよい。
【００８２】
第５実施例は、非活性化される伝送ブロックの新規データ指示子（ＮＤＩ）またはリダンダンシバージョン（ＲＶ）フィールドを、送信ダイバーシティ伝送であるか否かを示す指示子として用いることに関する。
【００８３】
上述したように、２個のアンテナポートを用いる場合に、ＤＣＩフォーマット２Ａにおけるプリコーディング情報フィールドは定義されない。このようなＤＣＩフォーマット２Ａを二重レイヤービームフォーミングのために用いる場合に、ランク１伝送で不明確さが発生してしまう。すなわち、既存のＤＣＩフォーマット２Ａの定義によれば、プリコーディング情報フィールドが定義されない場合に、ランク１ビームフォーミングなのか或いはランク２ビームフォーミングなのかを、２個のコードワードが両方とも活性化されるか否かによってわかるようになっている。これと関連して、二重レイヤービームフォーミング方式においても送信ダイバーシティ方式の伝送を定義する必要があるが、送信ダイバーシティ方式もランク１伝送に該当するから、一つのコードワードが非活性化されたということだけでは、ランク１ビームフォーミングなのか、或いは送信ダイバーシティ方式なのかを確実に示すことはできない。そのため、一つのコードワードが非活性化される場合に、送信ダイバーシティ伝送なのか、それともランク１ビームフォーミングなのかを確実に示すために、非活性化される伝送ブロックのＮＤＩまたはＲＶフィールドを用いることができる。例えば、非活性化される伝送ブロックのＮＤＩ値が第１値（または０）である場合に、送信ダイバーシティ伝送であることを表し、ＮＤＩ値が第２値（または１）である場合に、ランク１ビームフォーミングであることを表すことができる。送信ダイバーシティ伝送の場合に、端末は、セル特定参照信号を用いてデータ復調を行ってもよく、２個のレイヤー伝送のための専用参照信号を用いてデータ復調を行ってもよい。
【００８４】
第６実施例は、伝送ブロック対コードワードスワップフラグフィールドを、伝送方式を示す指示子として用いることに関する。
【００８５】
本実施例では、２個の伝送ブロックのいずれか一伝送ブロックのみ活性化される場合に、スワップフラグフィールドを留保せずに、スワップフラグの値を用いて送信ダイバーシティ方式または単一レイヤービームフォーミング方式のいずれかを指示できる。例えば、スワップフラグ値が第１値であると、送信ダイバーシティ方式であることを示し、スワップフラグ値が第２値であると、単一レイヤービームフォーミング方式であることを示すことができる。
【００８６】
第７実施例は、ＤＣＩフォーマット２Ａで定義されたプリコーディング情報フィールドを、二重レイヤービームフォーミングのために新しく解析することに関する。
【００８７】
ＤＣＩフォーマット２Ａにおいて、プリコーディング情報フィールドは、２アンテナポート伝送の場合には０ビットに設定され、４アンテナポート伝送の場合には２ビットに設定される。二重レイヤービームフォーミング伝送モードは最大２個のアンテナポートを使用する場合であるから、上述したように、プリコーディング情報フィールドが要らず、「プリコーディング情報」フィールドは０ビットに設定でき、二重レイヤービームフォーミングの伝送モードにおいてプリコーディング情報フィールドのためのビットが割り当てられても解析しないように定義できる。
【００８８】
一方、上記の５に表すように、既存のＤＣＩフォーマット２Ａでは４アンテナポートのためのプリコーディング情報フィールドにおいて留保されたビットフィールド（例えば、一つのコードワードが活性化された場合にはビットフィールド２及び３、２つのコードワードが活性化された場合にはビットフィールド３）が存在する。これら留保されたビットフィールドを、二重レイヤービームフォーミングのため定義してもよい。
【００８９】
上記のＤＣＩフォーマット２Ａによれば、上述したように、２個のコードワードのいずれか一コードワードのみが活性化された場合に、単一レイヤープリコーディングを意味すると解析されてもよく、送信ダイバーシティ手法を意味すると解析されてもよい。したがって、下記の表１１のように、一つのコードワードのみ活性化される場合には、４アンテナポートのためのプリコーディング情報フィールドの所定のビット値を用いて、「単一レイヤープリコーディング」であることを明示的に表すことができる。
【００９０】
【表１１】
2013504921.tif 000013
または、下記の表１２のように、４アンテナポートのためのプリコーディング情報フィールドにおいて、単一レイヤープリコーディングであることを示すと同時に、単一レイヤープリコーディングに該当するレイヤーが第１及び第２レイヤー（レイヤー０またはレイヤー１）のいずれかであるかを指示してもよい。
【００９１】
【表１２】
2013504921.tif 000014
上記の表１２では、一つのコードワードのみ活性化される場合に、プリコーディング情報フィールドのビットフィールド０は送信ダイバーシティを表す。この場合、端末は、セル特定参照信号を用いてデータ復調を行ったり、または、２つのレイヤーからの専用参照信号を用いてデータ復調を行ったりすることができる。
【００９２】
前述した本発明の一実施の形態によれば、二重レイヤービームフォーミングにおいてＳＵ−ＭＩＭＯとＭＵ−ＭＩＭＯを同時に支援できるＤＣＩフォーマットが提供される。すなわち、二重レイヤービームフォーミングと単一レイヤービームフォーミングのために用いられるＤＣＩフォーマットを同一のビットフィールドサイズにさせることができる。
【００９３】
次に、図４及び図５を参照して既存のＤＣＩフォーマットのうち、ＤＣＩフォーマット１ＡまたはＤＣＩフォーマット１Ｄのビットフィールドを、二重レイヤービームフォーミングのために新しく解析する本発明の他の実施の形態について説明する。
【００９４】
図４は、既存の３ＧＰＰ  ＬＴＥ標準（Ｒｅｌｅａｓｅ  ８）で定義するＤＣＩフォーマット１Ａを示す。ＤＣＩフォーマット１Ａは、種々の伝送モードにおいて一つのＰＤＳＣＨコードワードのコンパックト（ｃｏｍｐａｃｔ）スケジューリングのために定義されたもので、送信ダイバーシティ伝送に用いることができる。このようなＤＣＩフォーマット１Ａを二重レイヤービームフォーミングのために新しく解析することができる。二重レイヤービームフォーミングが伝送モードと定義された場合（上述したように、伝送モードは上位層シグナリングによって半−静的に設定される）に、端末がこのようなＤＣＩフォーマット１Ａを解析する際に、送信ダイバーシティにおいてとは異なる意味で一部のビットフィールドを解析してもよい。
【００９５】
ＤＣＩフォーマット１Ａに定義されたフィールドのうち、「フォーマット０／フォーマット１Ａ区別のためのフラグ（Ｆｌａｇ  ｆｏｒ  ｆｏｒｍａｔ  ０／ｆｏｒｍａｔ  １Ａ  ｄｉｆｆｅｒｅｎｔｉａｔｉｏｎ）」は１ビットに設定され、「フォーマット０／フォーマット１Ａ区別のためのフラグ」の０値はフォーマット０を示し、１値はフォーマット１Ａを示す。フォーマット１Ａは、フォーマット１Ａ  ＣＲＣがＣ−ＲＮＴＩでスクランブルされた場合にのみＰＤＣＣＨオーダーによって開始されるランダムアクセス手順（ｒａｎｄｏｍ  ａｃｃｅｓｓ  ｐｒｏｃｅｄｕｒｅ）に用いられる。
【００９６】
また、ＤＣＩフォーマット１Ａに定義されたフィールドのうち、「局部型／分散型仮想リソースブロック（ＶＲＢ）割当フラグ（Ｌｏｃａｌｉｚｅｄ／Ｄｉｓｔｒｉｂｕｔｅｄ  ＶＲＢ  ａｓｓｉｇｎｍｅｎｔ  Ｆｌａｇ）」は、１ビットと設定され、「フォーマット０／フォーマット１Ａ区別のためのフラグ」が１に設定される場合は、「局部型／分散型ＶＲＢ割当フラグ」フィールドは０に設定される。他の場合に、「局部型／分散型ＶＲＢ割当フラグ」の０値は局部型ＶＲＢ割当を表し、１値は分散型ＶＲＢ割当を表す。
【００９７】
第１実施例は、「フォーマット０／フォーマット１Ａ区別のためのフラグ」を二重レイヤービームフォーミングのために新しく解析することに関するものである。例えば、「フォーマット０／フォーマット１Ａ区別のためのフラグ」の論理値が第１値であると、送信ダイバーシティ伝送であることを表し、論理値が第２値であると単一レイヤービームフォーミング伝送であることを表すことができる。上述したように、あるビットフィールドにおける論理値の第１値は０またはｏｆｆを表し、第２値は１またはｏｎを表すことができ、その逆でもよい。
【００９８】
または、「フォーマット０／フォーマット１Ａ区別のためのフラグ」の論理値が第１値であると、専用参照信号パターンにおいて、第１レイヤー（レイヤー０）を表し、論理値が第２値であると、第２レイヤー（レイヤー１）を表すと新しく定義することができる。
【００９９】
第２実施例は、「局部型／分散型ＶＲＢ割当フラグ」を二重レイヤービームフォーミングのために新しく解析することに関するものである。
【０１００】
例えば、「局部型／分散型ＶＲＢ割当フラグ」の論理値が第１値であると、送信ダイバーシティ伝送を表し、論理値が第２値であると、単一レイヤービームフォーミング伝送を表すことができる。
【０１０１】
または、「局部型／分散型ＶＲＢ割当フラグ」の論理値が第１値であると、専用参照信号パターンにおいて、第１レイヤー（レイヤー０）を表し、論理値が第２値であると、第２レイヤー（レイヤー１）を表すことができる。
【０１０２】
第３実施例は、「フォーマット０／フォーマット１Ａ区別のためのフラグ」及び「局部型／分散型ＶＲＢ割当フラグ」に対する２ビットを、二重レイヤービームフォーミングのために新しく解析することに関するものである。例えば、「フォーマット０／フォーマット１Ａ区別のためのフラグ」と「局部型／分散型ＶＲＢ割当フラグ」に対する２ビットのうちの１ビットは、送信ダイバーシティまたは単一レイヤービームフォーミングを表し、残り１ビットは、第１レイヤーまたは第２レイヤーを表すことができる。
【０１０３】
図５は、既存の３ＧＰＰ  ＬＴＥ標準（Ｒｅｌｅａｓｅ  ８）で定義するＤＣＩフォーマット１Ｄを示す。ＤＣＩフォーマット１Ｄは、プリコーディング及び電力オフセット情報を有する一つのＰＤＳＣＨコードワードのコンパックトスケジューリングのために定義されたもので、多重ユーザーＭＩＭＯ（ＭＵ−ＭＩＭＯ）伝送に用いることができる。このようなＤＣＩフォーマット１Ｄを、二重レイヤービームフォーミングのために新しく解析することができる。二重レイヤービームフォーミングが伝送モードとして定義された場合に、端末がこのようなＤＣＩフォーマット１Ｄを解析する際に、ＭＵ−ＭＩＭＯとは異なる意味で一部のビットフィールドを解析することができる。
【０１０４】
ＤＣＩフォーマット１Ｄに定義されたフィールドのうち、「プリコーディングのための伝送されたプリコーディング行列指示子（ＴＰＭＩ）情報（ＴＰＭＩ  ｉｎｆｏｒｍａｔｉｏｎ  ｆｏｒ  ｐｒｅｃｏｄｉｎｇ）」フィールドは、伝送に用いられたコードブックインデックスを表し、基地局のアンテナポートが２アンテナポートの場合に２ビット、４アンテナポートの場合に４ビットで与えられる。
【０１０５】
本発明の第４実施例によれば、ＤＣＩフォーマット１Ｄの「プリコーディングのためのＴＰＭＩ情報」フィールドを、二重レイヤービームフォーミングのために新しく解析できる。「プリコーディングのためのＴＰＭＩ情報」において、１ビットを用いて送信ダイバーシティ伝送または単一レイヤービームフォーミングを表すことができる。２ビットまたは４ビットで与えられる「プリコーディングのためのＴＰＭＩ情報」フィールドにおける１ビットの論理値が第１値であれば送信ダイバーシティ伝送であるから、第２値であれば、単一レイヤービームフォーミングであることを表すことができる。
【０１０６】
または、「プリコーディングのためのＴＰＭＩ情報」の１ビットを用いて、該１ビットの論理値が第１値であると、専用参照信号パターンにおいて、第１レイヤー（レイヤー０）を、第２値であると第２レイヤー（レイヤー１）を表すことができる。
【０１０７】
または、「プリコーディングのためのＴＰＭＩ情報」の２ビットを用い、該２ビットのうち、１ビットは送信ダイバーシティ伝送または単一レイヤービームフォーミングを表し、残り１ビットは、専用参照信号パターンにおいて第１レイヤーまたは第２レイヤーを表すことができる。
【０１０８】
以下では、二重レイヤービームフォーミングのための新しいＤＣＩフォーマットを定義する本発明の他の実施の形態について説明する。
【０１０９】
上述したように、二重レイヤービームフォーミングは最大２のランクを有し、ランクは伝送に用いられる伝送ブロックの個数と同一なので、伝送ランクに対する別途の指示子は不要である。すなわち、伝送ブロックのＭＣＳインデックスの値が０に設定されること（または、ＭＣＳインデックスの値が０であるとともに、ＲＶ値が１に設定されること）によって、伝送ブロックの非活性化を決定することができる。これにより、端末は、２個の伝送ブロックのいずかれ一方が非活性化される場合はランク１に該当し、２個の伝送ブロックとも活性化される場合はランク２に該当することを暗黙的に認識できる。また、それぞれのレイヤー別に専用参照信号（プリコーディングされたＵＥ特定参照信号）を用いる場合に、プリコーディングに用いられる重み行列を指示する必要がないので、専用参照信号を用いる二重レイヤービームフォーミングの場合には、ダウンリンク制御情報（ＤＣＩ）フォーマットにおいてプリコーディング情報フィールドは含まれる必要がない（すなわち、プリコーディング情報フィールドには０ビットが割り当てられる）。
【０１１０】
また、二重レイヤービームフォーミング伝送モードが用いられる場合に（伝送モードは上位層シグナリングによって半−静的に設定される）、二重レイヤービームフォーミングのための専用参照信号が用いられ、端末は２個のレイヤーまたは単一レイヤーでデータを受信することができる。二重レイヤーが用いられる場合には、ＳＵ−ＭＩＭＯで動作し、単一レイヤーが用いられる場合には、ＳＵ−ＭＩＭＯまたはＭＵ−ＭＩＭＯで動作できる。二重レイヤービームフォーミングにおいてＳＵ−ＭＩＭＯとＭＵ−ＭＩＭＯを区別しない目的で、同一のＤＣＩフォーマットを両者に使用することを考慮することができる。すなわち、二重レイヤービームフォーミングと単一レイヤービームフォーミングにおいて、同一のビットフィールドサイズを有するＤＣＩによって制御情報が伝達されるようにし、二重レイヤービームフォーミングのために用いられるビットフィールドの一部フィールドは、単一レイヤービームフォーミングのための指示子として解析されるようにすることができる。また、二重レイヤービームフォーミング伝送モードが用いられる場合に、単一レイヤーのみ受信する端末のためにコンパックト（ｃｏｍｐａｃｔ）ＤＣＩフォーマットが定義されてもよい。
【０１１１】
図６を参照して、上述した考慮事項を満たす新しいＤＣＩフォーマットの一例について説明する。図６に示すＤＣＩフォーマットは、上述したＤＣＩ  ２Ａと同じフィールドを多数含んでおり、以下では、新しいＤＣＩフォーマットと既存のＤＣＩ  ２Ａフォーマットとの差異点を中心に説明する。
【０１１２】
図６のＤＣＩフォーマットは、単一−レイヤービームフォーミングと二重−レイヤービームフォーミングに関する制御情報を提供するものである。単一−レイヤービームフォーミングと二重−レイヤービームフォーミングの両モードとも、リソースブロック割当（Ｒｅｓｏｕｒｃｅ  Ｂｌｏｃｋ  Ａｓｓｉｇｎｍｅｎｔ）、ＰＵＣＣＨに対するＴＰＣ命令（ＴＰＣ  ｃｏｍｍａｎｄ  ｆｏｒ  ＰＵＣＣＨ）、ダウンリンク割当インデックス（Ｄｏｗｎｌｉｎｋ  Ａｓｓｉｇｎｍｅｎｔ  Ｉｎｄｅｘ）、ＨＡＲＱプロセス番号（ＨＡＲＱ  ｐｒｏｃｅｓｓ  ｎｕｍｂｅｒ）、伝送ブロック１及び２のそれぞれに対するＭＣＳインデックス、新規データ指示子（ＮＤＩ）及びリダンダンシバージョン（Ｒｅｄｕｎｄａｎｃｙ  ｖｅｒｓｉｏｎ）、そしてプリコーディング情報が定義されてよく、これらフィールドは、既存のＤＣＩフォーマット２Ａで定義されたものと実質的に同じ意味を有する。そのうち、プリコーディング情報フィールドは、上述したように０ビットに設定される。
【０１１３】
既存のＤＣＩフォーマット２Ａとは違い、図６のＤＣＩフォーマットでは、「伝送ブロック対コードワードスワップフラグ（Ｔｒａｎｓｐｏｒｔ  Ｂｌｏｃｋ  ｔｏ  ｃｏｄｅｗｏｒｄ  ｓｗａｐ  ｆｌａｇ）」は、二重レイヤービームフォーミングのために用いられる。単一レイヤービームフォーミング伝送の場合には、「伝送ブロック対コードワードスワップフラグ」を「レイヤー指示子（Ｌａｙｅｒ  Ｉｎｄｉｃａｔｏｒ）」として解析できる。
【０１１４】
２個の伝送ブロックとも活性化された場合に、「伝送ブロック対コードワードスワップフラグ」を、伝送ブロックとコードワードとのマッピング関係を指示する情報として用いることができ、マッピング関係は、上述した表１のように定義できる。
【０１１５】
いずれか一方の伝送ブロックが活性化され、他方の伝送ブロックは非活性化される場合には、上述した表２のように、活性化された伝送ブロックをコードワード０にマッピングできる。このように、一つのコードワードのみ活性化される単一レイヤービームフォーミングの場合には、「伝送ブロック対コードワードスワップフラグ」は、「レイヤー指示子」として解析される。レイヤー指示子の論理値が第１値（０またはｏｆｆ）である場合は、第１レイヤー（レイヤーＸ）を表し、第２値（１またはｏｎ）である場合は、第２レイヤー（レイヤーＹ）を表す。または、レイヤー指示子の論理値において、第１値が１またはｏｎを表し、第２値が０またはｏｆｆを表してもよく、それぞれ第１及び第２レイヤーとの対応関係を示すことができる。このようなレイヤー指示子の解析を、下記の表１３のように設定できる。
【０１１６】
【表１３】
2013504921.tif 000015
「レイヤー指示子」は、「アンテナポート指示子（ａｎｔｅｎｎａ  ｐｏｒｔ  ｉｎｄｉｃａｔｏｒ）」または「参照信号位置（ＲＳ  ｐｏｓｉｔｉｏｎ）」と命名でき、活性化されたコードワードに対応するレイヤー／アンテナポートまたは参照信号が位置するレイヤー（またはアンテナポート）を表すものと解析できる。端末は、レイヤー指示子から獲得した情報を用いて、自身に有効なチャネル情報がどのレイヤーのものか識別して獲得できる。
【０１１７】
図６のように定義された新しいＤＣＩフォーマットによれば、二重レイヤービームフォーミングと単一レイヤービームフォーミングのためのＤＣＩフォーマットを同一のサイズを有するように設定でき、ＳＵ−ＭＩＭＯとＭＵ−ＭＩＭＯの動的モード適応（ｄｙｎａｍｉｃ  ｍｏｄｅ  ａｄａｐｔａｔｉｏｎ）、ランク１とランク２の動的ランク適応（ｄｙｎａｍｉｃ  ｒａｎｋ  ａｄａｐｔａｔｉｏｎ）を実現することができる。
【０１１８】
次に、図７を参照して上述の考慮事項を満たす新しいＤＣＩフォーマットの他の実施例について説明する。図７に示すＤＣＩフォーマットにおいて、図６と共通する部分についての説明は、簡潔性のために省略する。
【０１１９】
図７のＤＣＩフォーマットでは、既存のＤＣＩフォーマット２Ａと同様に「伝送ブロック対コードワードスワップフラグ」を定義する。すなわち、伝送ブロック対コードワードスワップフラグを、二重レイヤービームフォーミングのために用い、２つのコードワードが活性化される場合に伝送ブロックとコードワードとのマッピング関係を指示する情報として用いることができ、マッピング関係は、上述した表１のように定義できる。一方、いずれか一方の伝送ブロックが活性化され、いずれか他方の伝送ブロックは非活性化される場合には、上述の表２のように、活性化された伝送ブロックをコードワード０にマッピングできる。
【０１２０】
図７のＤＣＩフォーマットでは、伝送ブロックのＭＣＳインデックス値が０に（またはＭＣＳインデックス値が０であるとともにＲＶ値は１に）設定されることから、いずれか一方の伝送ブロックが活性化され、いずれか他方の伝送ブロックが非活性化されることを表す場合に、端末は、単一レイヤービームフォーミング伝送であることを暗黙的に認知できる。
【０１２１】
非活性化された伝送ブロックに対する新規データ指示子（ＮＤＩ）フィールドは、活性化された伝送ブロックのレイヤー指示子として解析できる。例えば、伝送ブロック１が活性化され、伝送ブロック２が非活性化される場合に、伝送ブロック１のＮＤＩは、活性化された伝送ブロック１を通じて伝送されるデータが新しいデータなのか、再伝送されるデータなのかを表し、伝送ブロック２のＮＤＩフィールドを、伝送ブロック１に対するレイヤー指示子（またはアンテナポート指示子／参照信号位置）として解析できる。例えば、非活性化された伝送ブロックのＮＤＩの論理値が第１値（０またはｏｆｆ）である場合に、第１レイヤー（レイヤーＸ）または第１アンテナポート（アンテナポートＸ）を表し、非活性化された伝送ブロックのＮＤＩの論理値が第２値（１またはｏｎ）である場合に、第２レイヤー（レイヤーＹ）または第２アンテナポート（アンテナポートＹ）を表すことができる。または、ＮＤＩフィールドの論理値の第１値が１またはｏｎを表し、第２値が０またはｏｆｆを表してもよく、それぞれ第１及び第２レイヤーとの対応関係を示すことができる。端末は、レイヤー指示子から獲得した情報を通じて、自身に有効なチャネル情報がどのレイヤーのものかを識別して獲得できる。このようなレイヤー指示子の解析を、下記の表１４のように設定できる。
【０１２２】
【表１４】
2013504921.tif 000016
図７のように定義された新しいＤＣＩフォーマットによれば、二重レイヤービームフォーミングと単一レイヤービームフォーミングのためのＤＣＩフォーマットを同一サイズを有するように設定でき、ＳＵ−ＭＩＭＯとＭＵ−ＭＩＭＯの動的モード適応、ランク１とランク２の動的ランク適応を実現することができる。
【０１２３】
次に、図８を参照して上述の考慮事項を満たす新しいＤＣＩフォーマットのさらに他の実施例について説明する。図８に示すＤＣＩフォーマットにおいて、図６と共通する部分についての説明は、簡潔性のためで省略する。
【０１２４】
図８のＤＣＩフォーマットでは、既存のＤＣＩフォーマット２Ａと違い、「伝送ブロック対コードワードスワップフラグ」を定義しない。２つのコードワードとも活性化される場合に、コードワード０は伝送ブロック１にマッピングされ、コードワード１は伝送ブロック２にマッピングされるものと設定できる。
【０１２５】
一方、いずれか一方の伝送ブロックが活性化され、いずれか他方の伝送ブロックは非活性化される場合に、上述の表２のように、活性化された伝送ブロックをコードワード０にマッピングできる。
【０１２６】
図８のＤＣＩフォーマットでは、伝送ブロックのＭＣＳインデックス値が０に（またはＭＣＳインデックス値が０であるとともに、ＲＶ値は１に）設定され、いずれか一方の伝送ブロックが活性化され、いずれか他方の伝送ブロックが非活性化されることを表す場合に、端末は、単一レイヤービームフォーミング伝送であることを暗黙的に認知できる。
【０１２７】
非活性化された伝送ブロックに対する新規データ指示子（ＮＤＩ）フィールドは、活性化された伝送ブロックのレイヤー指示子として解析できる。例えば、伝送ブロック１が活性化され、伝送ブロック２が非活性化される場合に、伝送ブロック１のＮＤＩは、活性化された伝送ブロック１を通じて伝送されるデータが新しいデータなのか、再伝送されるデータなのかを表し、伝送ブロック２のＮＤＩフィールドを、伝送ブロック１に対するレイヤー指示子（またはアンテナポート指示子、参照信号位置）として解析できる。例えば、非活性化された伝送ブロックのＮＤＩの論理値が第１値（０またはｏｆｆ）である場合に、第１レイヤー（レイヤーＸ）または第１アンテナポート（アンテナポートＸ）を表し、非活性化された伝送ブロックのＮＤＩの論理値が第２値（１またはｏｎ）である場合に、第２レイヤー（レイヤーＹ）または第２アンテナポート（アンテナポートＹ）を表すことができる。または、ＮＤＩフィールドの論理値の第１値が１またはｏｎを表し、第２値が０またはｏｆｆを表してもよく、それぞれ第１及び第２レイヤーとの対応関係を示すことができる。端末は、レイヤー指示子から獲得した情報を通じて、自身に有効なチャネル情報がどのレイヤーのものかを識別して獲得できる。このようなレイヤー指示子の解析は、上記の表１４のように設定できる。
【０１２８】
図８のように定義された新しいＤＣＩフォーマットによれば、二重レイヤービームフォーミングと単一レイヤービームフォーミングのためのＤＣＩフォーマットを同一サイズを有するように設定でき、ＳＵ−ＭＩＭＯとＭＵ−ＭＩＭＯの動的モード適応、ランク１とランク２の動的ランク適応を具現することができる。
【０１２９】
上述した図６乃至図８におけるＤＣＩフォーマットは、既存のＤＣＩフォーマット２及び２Ａと区別されるＤＣＩフォーマット２Ｂと呼ぶことができ、二重レイヤービームフォーミングに用いられるアンテナポートＸ及びＹは、既存のＬＴＥ標準で定義するアンテナポートと区別されるアンテナポート７及び８と呼ぶことができる。
【０１３０】
本発明の様々な実施の形態によれば、二重レイヤービームフォーミングを支援するために、既存のＤＣＩフォーマットを新しく解析したり、既存のＤＣＩフォーマットと区別される新しいＤＣＩフォーマットを定義することによって、ダウンリンク制御情報を端末に提供することができる。特に、二重レイヤービームフォーミングにおいて、ランク情報を明示的にランク指示子を通じて提供しなくとも、２個の伝送ブロックのいずれか一方が非活性化されるか否かを、伝送ブロックのＭＣＳフィールドから暗黙的に獲得できる。また、最大２個のレイヤーを用いる伝送において、伝送に用いられるレイヤー（アンテナポート）を指示するために１ビットの情報が必要であるが、２個の伝送ブロックのうち、非活性化された伝送ブロックに対するＮＤＩビットフィールドを用いてレイヤーを指示することによって、単一レイヤーを用いる２個の端末への伝送を支援することができる。
【０１３１】
図９は、本発明に係る端末装置の好適な実施例の構成を示す図である。
【０１３２】
図９を参照すると、端末装置は、受信モジュール９１０、伝送モジュール９２０、プロセッサ９３０及びメモリー９４０を含むことができる。受信モジュール９１０は、各種の信号、データ、情報などを基地局などから受信することができる。伝送モジュール９２０は、各種の信号、データ、情報などを基地局などに伝送できる。本実施例に係る端末は、第１及び第２アンテナポートを用いる二重レイヤー（ｄｕａｌ  ｌａｙｅｒ）伝送を支援する多重アンテナシステムにおいて基地局からダウンリンク信号を受信することができる。端末のプロセッサ９３０は、受信モジュール９１０を介して、ダウンリンク制御チャネルを通じてダウンリンク制御情報（ＤＣＩ）を受信するように制御し、ダウンリンクデータチャネルを通じて第１及び第２伝送ブロック（Ｔｒａｎｓｐｏｒｔ  Ｂｌｏｃｋ）の一つ以上を含むダウンリンクデータを受信するように、第１及び第２伝送ブロックの一つ以上を含むダウンリンクデータチャネル信号を受信するように制御し、ダウンリンク制御チャネルを通じてダウンリンク制御情報（ＤＣＩ）を受信するように制御できる。ダウンリンク制御情報は、第１及び第２伝送ブロックのそれぞれに対する新規データ指示子（ＮＤＩ）を含み、ダウンリンク制御情報において第１伝送ブロックが非活性化され（ｄｅａｃｔｉｖａｔｅｄ）、第２伝送ブロックが活性化される（ｅｎａｂｌｅｄ）ことを表す場合に、第１伝送ブロックに対する新規データ指示子は、第２伝送ブロックが受信されるアンテナポートを指示する。
【０１３３】
プロセッサ９３０は、その他にも、端末装置が受信した情報、外部に伝送する情報などを演算処理する機能を果たし、メモリー９４０は、演算処理された情報などを所定時間記憶することができ、バッファー（図示せず）などの構成要素に取り替えてもよい。
【０１３４】
図１０は、本発明に係る基地局装置の好適な実施例の構成を示す図である。
【０１３５】
図１０を参照すると、基地局装置は、受信モジュール１０１０、伝送モジュール１０２０、プロセッサ１０３０及びメモリー１０４０を含むことができる。伝送モジュール１０２０は、端末などに各種の信号、データ、情報などを伝送できる。受信モジュール１０１０は、端末などから各種の信号、データ、情報などを受信することができる。本実施例に係る基地局は、第１及び第２アンテナポートを用いる二重レイヤー伝送を支援する多重アンテナシステムにおいて端末にダウンリンク信号を伝送できる。基地局のプロセッサ１０３０は、伝送モジュール１０２０を介して、ダウンリンク制御チャネルを通じてダウンリンク制御情報（ＤＣＩ）を伝送するように制御し、ダウンリンクデータチャネルを通じて第１及び第２伝送ブロックの一つ以上を含むダウンリンクデータを伝送するように、第１及び第２伝送ブロックの一つ以上を含むダウンリンクデータチャネル信号を伝送するように制御し、伝送モジュールを介して、ダウンリンク制御チャネルを通じてダウンリンク制御情報（ＤＣＩ）を伝送するように制御できる。ダウンリンク制御情報は、上記第１及び第２伝送ブロックのそれぞれに対する新規データ指示子（ＮＤＩ）を含み、ダウンリンク制御情報において、第１伝送ブロックが非活性化され、第２伝送ブロックが活性化されることを表す場合に、第１伝送ブロックに対する新規データ指示子は、第２伝送ブロックが伝送されるアンテナポートを指示する。
【０１３６】
プロセッサ１０３０は、その他にも、基地局装置が受信した情報、外部に伝送する情報などを演算処理する機能を果たし、メモリー１０４０は、演算処理された情報などを所定時間記憶することができ、バッファー（図示せず）などの構成要素に取り替えてもよい。
【０１３７】
上記の本発明の実施例は、様々な手段により具現することができる。例えば、本発明の実施例は、ハードウェア、ファームウェア（ｆｉｒｍｗａｒｅ）、ソフトウェアまたはそれらの結合などにより具現することができる。
【０１３８】
ハードウェアによる具現の場合、本発明の実施例に係る方法は、一つまたはそれ以上のＡＳＩＣｓ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰｓ（Ｄｉｇｉｔａｌ  Ｓｉｇｎａｌ  Ｐｒｏｃｅｓｓｏｒｓ）、ＤＳＰＤｓ（Ｄｉｇｉｔａｌ  Ｓｉｇｎａｌ  Ｐｒｏｃｅｓｓｉｎｇ  Ｄｅｖｉｃｅｓ）、ＰＬＤｓ（Ｐｒｏｇｒａｍｍａｂｌｅ  Ｌｏｇｉｃ  Ｄｅｖｉｃｅｓ）、ＦＰＧＡｓ（Ｆｉｅｌｄ  Ｐｒｏｇｒａｍｍａｂｌｅ  Ｇａｔｅ  Ａｒｒａｙｓ）、プロセッサ、コントローラ、マイクロコントローラ、マイクロプロセッサなどにより具現することができる。
【０１３９】
ファームウェアやソフトウェアによる具現の場合、本発明の実施例に係る方法は、以上で説明された機能または動作を行うモジュール、手順または関数などの形態とすることができる。ソフトウェアコードはメモリーユニットに記憶し、プロセッサで駆動することができる。メモリーユニットは、プロセッサの内部または外部に設けられて、既に公知の様々な手段によりプロセッサとデータを授受することができる。
【０１４０】
以上開示された本発明の好ましい実施例についての詳細な説明は、当業者が本発明を具現して実施できるように提供された。以上では本発明の好適な実施例を参照して説明したが、当該技術の分野における熟練した当業者には、本発明の領域から逸脱しない範囲内で本発明を様々に修正及び変更できるということが理解されるであろう。例えば、当業者は、上記の実施例に記載された各構成を互いに組み合わせる方式で用いることができる。したがって、本発明は、ここに開示されている実施形態に制限されるものではなく、ここに開示されている原理及び新規な特徴と一致する最も広い範囲を与えるためのものである。
【０１４１】
本発明は、本発明の精神及び必須特徴から逸脱することなく、他の特定の形態に具体化できる。そのため、上記の詳細な説明はいずれの面においても制約的に解釈してはならず、例示的なものとして考慮しなければならない。本発明の範囲は、添付した請求項の合理的解釈により定めなければならず、本発明の等価的範囲内における変更はいずれも本発明の範囲に含まれる。本発明は、ここに開示されている実施形態に制限されるものではなく、ここに開示されている原理及び新規な特徴と一致する最も広い範囲を有するものである。また、特許請求の範囲で明示的な引用関係を有しない請求項を結合して実施例を構成したり、出願後の補正により新しい請求項として含めることができる。
【図１】
2013504921.tif 000017
【図２】
2013504921.tif 000018
【図３】
2013504921.tif 000019
【図４】
2013504921.tif 000020
【図５】
2013504921.tif 000021
【図６】
2013504921.tif 000022
【図７】
2013504921.tif 000023
【図８】
2013504921.tif 000024
【図９】
2013504921.tif 000025
【図１０】
2013504921.tif 000026
【国際調査報告】
2013504921.tif 000027
2013504921.tif 000028